(57)【要約】【課題】主要な被写体が画面の中央に存在しなくても、ストロボの本発光撮影でいわゆる白飛びしにくい、適正露光の画像を得ることができる撮像装置および撮像方法を得る。【解決手段】予備発光と本発光が可能な発光器１５と、発光器の予備発光による被写体からの反射光を受光する測光手段と、測光手段の測光により画面内の被写体ごとの輝度分布を作成する輝度分布作成手段と、高輝度域に分布する被写体に対してその分布数に対する重み付けをあらかじめ定めた重み付け表と、輝度分布作成手段で作成された輝度分布に重み付け表を適用して本発光量の補正量を定める対応表と、を備え、対応表に基づいて発光器の本発光量を決定する。【選択図】図１
2009053216.tif 000002
【特許請求の範囲】
【請求項１】
予備発光と本発光が可能な発光器と、
発光器の予備発光による被写体からの反射光を受光する測光手段と、
上記測光手段の測光により画面内の被写体ごとの輝度分布を作成する輝度分布作成手段と、
高輝度域に分布する被写体に対してその分布数に対する重み付けをあらかじめ定めた重み付け表と、
上記輝度分布作成手段で作成された輝度分布に上記重み付け表を適用して本発光量の補正量を定める対応表と、を備え、
上記対応表に基づいて上記発光器の本発光量を決定することを特徴とする撮像装置。
【請求項２】
輝度分布作成手段は、画面の中央部分に設定された測光エリアにおける被写体ごとの輝度分布を作成する特許請求の範囲１記載の撮像装置。
【請求項３】
測光エリアは縦方向と横方向にそれぞれ複数に分割してなる複数のブロックに分けられていて、輝度分布作成手段は、各ブロックに対応する被写体部分単位で輝度分布を作成する特許請求の範囲２記載の撮像装置。
【請求項４】
予備発光時の測光エリアにおける被写体距離の不均一性を判断可能な信号処理部を有する特許請求の範囲１記載の撮像装置。
【請求項５】
主要被写体が測光エリアから大きく外れているものと信号処理部が判断した場合、発光器の本発光時の発光量を制限するガイドナンバー減光補正手段を有している請求項４記載の撮像装置。
【請求項６】
主要被写体と背景までの距離が大きく異なるものと信号処理部が判断した場合、発光器の本発光時の発光量を制限するガイドナンバー減光補正手段を有している請求項４記載の撮像装置。
【請求項７】
主要被写体と背景までの距離が大きく異なるものと信号処理部が判断した場合、白飛び警告をする表示手段を有する請求項１記載の撮像装置。
【請求項８】
発光器の予備発光による被写体からの反射光を測光手段で受光する工程と、
上記測光手段の測光により画面内の被写体ごとの輝度分布を作成する工程と、
高輝度域に分布する被写体に対してその分布数に対する重み付けを定めた重み付け表をあらかじめ作成する工程と、
上記輝度分布に上記重み付け表を適用して本発光量の補正量を定める対応表を作成する工程と、
上記対応表に基づいて上記発光器の本発光量を決定する工程と、を備えていることを特徴とする撮像方法。
【請求項９】
輝度分布を作成する工程では、画面の中央部分に設定された測光エリアにおける被写体ごとの輝度分布を作成する請求項８記載の撮像方法。
【請求項１０】
測光エリアは縦方向と横方向にそれぞれ複数に分割してなる複数のブロックに分けられていて、輝度分布を作成する工程では、各ブロックに対応する被写体部分単位で輝度分布を作成する請求項９記載の撮像方法。
【請求項１１】
予備発光時の測光エリアにおける被写体距離の不均一性を判断可能な信号処理工程を有する請求項８記載の撮像方法。
【請求項１２】
主要被写体が測光エリアから大きく外れているものと信号処理工程で判断した場合、発光器の本発光時の発光量を制限するガイドナンバー減光補正工程を有している請求項１１記載の撮像方法。
【請求項１３】
主要被写体と背景までの距離が大きく異なるものと信号処理工程で判断した場合、発光器の本発光時の発光量を制限するガイドナンバー減光補正工程を有している請求項１１記載の撮像方法。
【請求項１４】
主要被写体と背景までの距離が大きく異なるものと信号処理工程で判断した場合、白飛び警告をする工程を有する請求項８記載の撮像方法。
【発明の詳細な説明】
【技術分野】
【０００１】
本発明は、デジタルスチルカメラのような、電子的な撮像装置および撮像方法に関するもので、特に、ストロボ発光器による照明を利用する場合に、主要被写体を適正露光で撮影することができるようにしたものである。
【背景技術】
【０００２】
写真撮影時の被写体照明手段として各種の手段が考えられてきたが、今日ではカメラなどの撮像装置に内蔵したストロボ発光器による照明が一般的である。撮像装置に内蔵したストロボ発光器を使用して撮影する場合、被写体までの距離に応じて、発光量、あるいは開口絞りなどを制御するなどして、被写体に対して適正な露光量になるように制御する必要がある。ストロボ発光器を使用する場合の露光量制御方式として、今日では、以下の方式が主流となっている。
１．被写体までの距離とレンズのＦ値（絞り値）からガイドナンバー光量を決定するフラッシュマチック方式（以下「ＦＭ方式」という）
２．ＦＭ方式の応用で、本撮影前にストロボ発光器によるプリ発光（予備発光）を行い、プリ発光時の被写体からの反射光を測定してこれを本発光に反映させストロボ撮影するプリ発光方式
３．ストロボ発光時の被写体からの反射光を受光センサにより受光し、受光量が適正値に達した時点でストロボ発光器の発光を停止させる自動調光方式（以下「オートストロボ方式」という）
【０００３】
コンパクトデジタルカメラでは、低コストであることが求められることと、限られたスペースに組み込む必要があることから、一般にはＦＭ方式またはプリ発光方式が主流となっている。プリ発光方式は、本発光の前に予め予備発光を行い、予備発光後の反射光を受光し、受光量の積分量を基に本発光量を定める方式が一般的である。プリ発光制御方式によれば、画面の中央部にある主要被写体およびその近傍にある被写体に対する最適露光量は得ることができるが、周囲の背景までは最適な露光量になるとは限らない。特に、被写体面が均一な距離ではない条件のもとでの撮影や、ＡＥＬなどの撮影をして主要被写体が画面の隅に配置されている場合などには、意図したとおりに調光することは難しい。結果として、主要被写体に対する露光量が過度になり、主要被写体が全体的に白く写り込む、いわゆる「白飛び」することがある。
【０００４】
特許文献１記載の発明は、プリ発光制御方式の一つで、主要被写体が画面中央にない場合でも適正な本発光を行うことができるようにすることを目的としたものである。その技術的な特徴は、画面を複数の領域に分割し、各領域に対応する複数の測光領域を有する測光センサにより、予備発光時における被写体からの反射光量を測定すること、そして、撮影者の任意設定による測光領域またはＡＦセンサによる合焦領域に対応する測光センサの出力を用いて、撮影時の本発光量を演算することにある。
【０００５】
【特許文献１】特開２００３−０６６５０５号公報
【発明の開示】
【発明が解決しようとする課題】
【０００６】
しかし、上記特許文献１に記載されているプリ発光制御方式を実施するためには、主要被写体が存在している領域を判断する必要があり、加えて、複数の測光領域の中から主要な被写体が存在する領域を判断する必要があるため、判断が難しい。また、撮影者が測光領域を任意に設定するためのインターフェース（Ｉ／Ｆ）が必要であるとともに、ユーザが測光領域を設定する操作は、ユーザにとっては手間のかかる余分な作業であり、使い勝手としても良いとは言えない。
【０００７】
本発明は、従来のストロボ制御方式に付け加えて、プレ発光時の測光エリアにおける被写体の不均一性（被写体距離などの不均一性）を判断可能にし、この不均一性の判断結果に応じた一定のガイドナンバー減光補正処理を行うことで、主要な被写体が画面の中央に存在しなくても、ストロボの本発光撮影でいわゆる白飛びしにくい、適正露光の画像を得ることができる撮像装置および撮像方法を提供することを目的とする。
【課題を解決するための手段】
【０００８】
本発明にかかる撮像装置は、予備発光と本発光が可能な発光器と、発光器の予備発光による被写体からの反射光を受光する測光手段と、この測光手段の測光により画面内の被写体ごとの輝度分布を作成する輝度分布作成手段と、高輝度域に分布する被写体に対してその分布数に対する重み付けをあらかじめ定めた重み付け表と、上記輝度分布作成手段で作成された輝度分布に上記重み付け表を適用して本発光量の補正量を定める対応表と、を備え、上記対応表に基づいて上記発光器の本発光量を決定することを最も主要な特徴とする。
【０００９】
本発明にかかる撮像は、発光器の予備発光による被写体からの反射光を測光手段で受光する工程と、上記測光手段の測光により画面内の被写体ごとの輝度分布を作成する工程と、高輝度域に分布する被写体に対してその分布数に対する重み付けを定めた重み付け表をあらかじめ作成する工程と、上記輝度分布に上記重み付け表を適用して本発光量の補正量を定める対応表を作成する工程と、上記対応表に基づいて上記発光器の本発光量を決定する工程と、を備えていることを特徴とする。
【発明の効果】
【００１０】
本発明によれば、例えば主要被写体までの距離と背景までの距離に大きな差があるような撮影条件、換言すれば、被写体距離の不均一性が認められる条件のもとでストロボ撮影する場合であっても、最適なストロボ発光量による適正露光のもとでの撮影画像を得ることができる。特に、ＡＥ処理部において、マルチ測光エリアのような画面に対して複数エリアを設定し、各エリアの測光結果をサンプリングする、というような複雑な処理をする必要はない。
【００１１】
主要被写体と背景までの距離が大きく異なるものと信号処理部が判断した場合に、表示手段が白飛び警告をするように構成しておけば、ストロボ撮影時に白飛び警告がなされることにより、ユーザが白飛びし易い撮影条件であることを認識することができるので、次に撮影する場合などに、ユーザ自身による白飛びし易い撮影条件であるかどうかの判断に役立てることができる。
【発明を実施するための最良の形態】
【００１２】
以下、本発明にかかる撮像装置および撮像方法の実施例について図面を参照しながら説明する。
まず、本発明にかかる撮像装置のハードウェア構成例について図１を参照しながら説明する。図１において、符号１は撮影レンズを、２はメカニカルシャッタを、３は撮像素子としてのＣＣＤをそれぞれ示している。撮影レンズ１によって被写体像がＣＣＤ３に結像されることにより、被写体像に対応した画像信号がＣＣＤ３から出力される。この出力信号は、ＣＤＳ・Ａ／Ｄ部４によって相関二重サンプリングとアナログ・デジタル変換が行われ、デジタル信号処理部（以下「ＤＳＰ」という）５に入力されるようになっている。ＤＳＰ５は、デジタル信号からなる画像信号を、輝度Ｙ、色差Ｕ，Ｖ信号に変換し、このＹＵＶデータをＪＰＥＧ圧縮する。
【００１３】
符号６はメカニカル部を駆動するメカ駆動部を、７はＣＣＤ駆動回路部を、８はカメラ全体を制御するＣＰＵを示す。ドライバ部６は、撮影レンズ１を駆動するフォーカス駆動部の駆動と、メカニカルシャッタ２の開閉動作を行う。なお、フォーカス駆動部にはレンズ位置検出部も含む。ドライバ部６、ＣＣＤ駆動回路部７の動作はＣＰＵ８によって制御される。符号９は、撮像した画像データおよびデータファイルからのリードデータを一時的に保持するメモリを示しており、ＤＳＰ部５、およびＣＰＵ部８のワークメモリとして使われる。
【００１４】
符号１０はカメラ外部との通信部を、１１はカメラに着脱可能なメモリカードを示す。符号１２は、ＤＳＰ部５からの映像出力信号を液晶ディスプレイ（以下「ＬＣＤ」という）に表示可能な信号に変換する表示コントローラと、実際にそれを表示するＬＣＤからなる表示部を示す。符号１３はカメラユーザが操作可能なスイッチ部、１４は、例えば三角測距方式によるオートフォーカス（以下「ＡＦ」という）部、１５は、制御部としてのＣＰＵ８によって発光開始・停止が制御されるストロボ発光部をそれぞれ示している。符号１６は、ストロボ発光用のメインコンデンサを示しており、その充電電圧は、ＣＰＵ８で検出することができるようになっている。ＤＳＰ部５、ＣＰＵ８、メモリ９、メモリカード１１、通信ドライバ１０はバスラインによってつながれている。
【００１５】
図２は、上記ハードウェアとともに実行される機能ブロック図で、（ａ）に示すメイン処理と、メイン処理と併行で処理される（ｂ）に示す併行処理がある。図２（ａ）に示すメイン処理には、上記スイッチ部１３による各種操作を判定して対応する処理を行なうスイッチ判定処理部、測光手段を含むＡＥ（自動露出のこと。以下同じ）処理部、ＡＦ処理部、プリ発光処理部、発光量比較部、本発光シフト処理部、静止画記録処理部が含まれる。図２（ｂ）に示す併行処理は、定期タイマ割り込み処理部、モニタリング処理部を含む。定期タイマ割り込み処理部は、定期的なタイマ割り込み処理部で起動され、スイッチ部１３の状態の読み込みなどを行う。
【００１６】
図３，図４は上記のとおり構成された撮像装置の処理動作を示す。図５はそのタイミングチャートである。図３は記録時のメイン処理フローを示す。以下、処理ステップごとにＳ１，Ｓ２，・・・のような符号を付して処理動作を説明する。記録モードでカメラ電源スイッチがＯＮされると、図示されないカメラ内部のハードウェア初期化や、カード内のファイル情報をメモリ９内に作成するなどの初期処理を行う。その後、図３に示すメイン処理が開始される。
【００１７】
メイン処理では、モニタリング状態をチェックし（Ｓ１）、モニタリング停止状態であれば、モニタリング開始処理を行う（Ｓ７）。モニタリング開始処置とは、撮像部の駆動を開始し、また併行処理のモニタリング処理を起動するものである。メイン処理に最初に入った場合にもモニタリング開始処理は実行されることになる。また、ＣＰＵ８でメインコンデンサ１６の充電電圧Ｖｍをチェックし（Ｓ８）、電圧が所定の電圧以上あれば次のステップＳ２に進み、充電電圧が所定の電圧より低い場合は、充電をして（Ｓ９）次のステップＳ２に進む。
【００１８】
図２に示す併行処理のモニタリング処理は、カメラのスルー画像を表示しているときのＡＥ、ＡＷＢ（オートホワイトバランスのこと。以下同じ）追尾処理を実行するものである。これにより、カメラの表示部１２に表示している画像を、いつも適正な明るさにし、自然な色合いに保つことができる。具体的には、撮像部のＣＣＤ３から出力される画像データを、ＤＳＰ部５に入力し、ＤＳＰ部５で、ＡＥ、ＡＷＢを評価し、この評価値をＣＰＵ８で取得し、ＣＰＵ８は評価値が所定値になるように、駆動回路７に露光時間をセットし、ＣＣＤ３における撮像信号の増幅率を設定し、あるいはＤＳＰ部５で画像処理するときの色パラメータを調節する、というようなフィードバック制御を行う。以上のモニタリング処理や、先に述べたスイッチ部の状態の読み込み処理の併行処理は、２０ｍｓの定期タイマ割り込みで実行される。
【００１９】
図３に示すメイン処理のスイッチ判定処理（Ｓ２）は、上述の２０ｍｓごとの定期タイマ割り込み処理で入力されるスイッチ情報を確定して、操作されたスイッチに対応する処理を行う。有効なスイッチ情報がなければ、なにもすることなく、再びスイッチ判定処理に戻るループを繰り返す。
【００２０】
本発明は、ストロボ発光による撮影に技術的な特徴があるので、以下、ストロボ発光による静止画撮影が必要な場合について説明する。メイン処理動作を図１、図３をもとに説明する。図１に示すスイッチ部１３には、シャッタ釦の押し下げに連動するスイッチも含まれている。静止画撮影時は、シャッタ釦を途中まで押し下げることに連動して動作する第一スイッチ（以下、スイッチは「ＳＷ」と略す）がＯＮされると、まずモニタリングを停止し（Ｓ３）、ＡＥ処理、すなわち撮像データをＤＳＰ部５で評価し、撮影露出時においてＣＣＤ駆動回路部７に設定するＣＣＤ３の露光時間値、ＣＣＤ３の増幅率を決める（Ｓ４）。また、このＡＥ処理で低輝度と判定された結果、ストロボ発光が必要と判定されたとする。次にＡＦ処理を行い（Ｓ５）、ＡＦ処理によって求められた合焦位置にフォーカスレンズを移動させるフォーカス駆動処理を行なう（Ｓ６）。
【００２１】
図６に示すように、測距は２つの異なった光学系で結像した被写体像の位相差による三角測距などが一般的である。測距処理によって得られる測距データ（Ｌデータ）に従って駆動部６でフォーカスレンズを動かし、焦点を合わせる。ただこの測距データ（Ｌデータ）は三角測距でなくてもよく、例えば、ＣＣＤ３によって得られる画像信号の空間周波数から求めることもできるので、いわゆる山登り法でフォーカスポジションを求めるものであってもよい。
【００２２】
図３に示すＳＷ判定処理（Ｓ２）において、シャッタボタンが終端まで押し下げられて第二ＳＷがオンされたことがわかると、ストロボ発光による撮影であるかどうかの判断を行う（Ｓ１０）。ストロボ発光による撮影でなければ、モニタリング停止（Ｓ１１）、静止画記録処理（Ｓ１２）という通常の撮影ステップを経て静止画が記録される。ステップＳ１０でストロボ発光による撮影であると判断した場合は、プレ発光から得られたＡＥ評価値をもとに本発光を行う。図３のＡで示す部分の動作がそれで、その詳細を図４に示す。図４において、まずプリ発光を行い（Ｓ２１）、その結果に基づいて白飛び指数演算を行い（Ｓ２２）、演算によって得られた白飛び指数に応じてＧｎｏ（「ガイドナンバー」のこと。以下同じ）減光補正を行い（Ｓ２３）、減光補正されたＧｎｏで本発光処理を行なう（Ｓ２４）。本発光に同期して撮影し、静止画記録処理（Ｓ２５）を行なって一連のストロボ発光による撮影を終了し、図３に示すメイン処理のステップＳ１に戻る。
【００２３】
従来の発光方式では、前述のように、失敗画像も少なくなく、被写体面が均一な距離ではないような撮影や、ＡＥＬなどによる撮影すなわち主要被写体を画面の隅に配置させた撮影などを行う場合は、撮影者が意図したとおりの調光はできなかった。その理由は、測光エリアにおいて主要被写体の占める割合が比較小さく、ストロボ光の到達不可能な背景の低輝度エリアを多く取り込んでしまうため、予備発光段階で被写体は暗いものと判断され、その結果、本発光では、背景の画像に合わせて露光量が多量になり、主要被写体はいわゆる白飛びしてしまうという問題があった。
【００２４】
本発明の実施例では、予備発光時の撮影で、被写体からの反射光の積分量を基に画面の中央部分の測光結果を出力し、この予備発光時の調光エリアにおける複数の被写体の距離の不均一性を判断することによって白飛びを回避する。そのために、不均一性具合ないしは不均一性の程度を求めて一定のＧｎｏ減光補正処理（図４のステップＳ２３）を行う。前記不均一性の程度を以下「白飛び指数」と呼ぶ。本発明の特徴である不均一性の判断の方法と、不均一平面からどれだけガイドナンバーを減光補正すればよいかについて以下に言及する。
【００２５】
プレ発光撮影画像から主要被写体の白とび指数を算出する方法は、画面の中央部分に設定した四角形の測光エリアを、縦横ともに複数個に分割して複数のブロックとし、この複数ブロックの輝度平均値を算出してブロック毎に平均値からの偏差ΔＥｖを求めるものである。図７は画面の中央部分に設定した測光エリアの例で、この例では横方向に８分割、縦方向に６分割した合計４８ブロックに分けられている。
【００２６】
次に、上記ブロック毎のΔＥｖをヒストグラム分割し、図８、図９に示すような、ブロック毎のΔＥｖがどの値に該当するかによって度数分布を作成しメモリに保存する。図８、図９に示す例では、ヒストグラムの区画を０．３ＥＶ刻みで１４区画設けている。図８、図９の上段のヒストグラムは、ブロック毎のΔＥｖが１４区画のうちのどの区画に該当するかを示している。縦軸のブロック数は最大で４８（＝８×６）である。さらに、各区画におけるブロック数の総和を「白飛び指数」と呼ぶこととし、この「白飛び指数」を演算する際に、重み付け係数を持たせる。
【００２７】
上記重み付け係数の決め方のポイントについて説明する。従来技術では、被写体の占める割合が測光エリアに対して小さい場合、あるいは、測光エリアに奥行きのある背景などが多く含まれている場合に、平均的なΔＥｖ以下のものに引き込まれて、プレ発光にてアンダー測光という結果が出てしまう。そのため本発光では、プレ発光での光量不足分を補おうとして発光量を多くするため、主要被写体が白飛びしてしまう。
【００２８】
遠近が混在した不均一な平面をもつ被写体を撮影する場合に発生しやすい上記の問題を回避するためには、測光値が平均値よりも高い被写体ブロックに対して重み付け係数を極力高く設定する方がよい。例えば、実施例にかかる撮像装置のＤレンジ幅を±３．０Ｅｖとすると、＋２．７Ｅｖ、＋３．０Ｅｖなどのブロックを重み付け対象とする。±０．３Ｅｖなどのブロックの重み付けは１倍、＋２．７Ｅｖ、＋３．０Ｅｖなどのブロックの重み付けはブロック数×４倍というように設定する。図８、図９の中段に示す表は重み付け表であって、あらかじめ、高輝度域に分布する被写体に対してその分布数に対する重み付けを定めておく。この重み付け表において、「区画番号」とは、図８、図９の上段に示すヒストグラムの区画番号、「倍率」とは、区画番号に対応した重み付けを示している。
【００２９】
図９に示す例は、重み付け係数を大きくする必要のない被写体、例えば、測光エリアにおける主要被写体の占める割合が大きい場合、あるいは、測光エリア内の被写体の距離に大きな差がない場合の、各ブロックのΔＥｖ分布の例を示す。この例によれば、測光エリアの４８個の区画のうち大半の４６個が±０Ｅｖのブロック（区画番号６）に集中し、その前後（区画番号５，７）のブロックに１個ずつの測光エリア区画があるのみである。換言すれば、測光値が平均値に略集中している。このような被写体条件の場合は、予備発光で得られる測光データに基づき、データを補正することなく本発光による撮影を行えばよい。すなわち、区画番号５，６，７の重み付け係数は「１」であるから、予備発光による測光データそのものを用いて本発光の光量を決めればよい。したがって、「白飛び指数」はブロック数と同じ「４８」である。
【００３０】
図９の例に対して、図８の例では、上段に示すヒストグラムのように、区画番号２と３でブロック数がそれぞれ２０個と最も多いが、測光値は平均値よりも低いので、倍率は「１」である。しかし、測光値が平均値よりも高い区画番号１３に３個のブロックがあるので、これに倍率「４」を掛けてブロック数「１２」とし、測光値が平均値よりもさらに高い区画番号１４に２個のブロックがあるので、これに倍率「５」を掛けてブロック数「１０」とする。このようにして、あらかじめ設定した倍率を掛けたブロック数も含めて、全ての区画のブロック数を合計すると、図９の例ではブロック数の合計すなわち「白飛び指数」は「６５」で、図９に示すような補正の必要のない場合の「白飛び指数」よりも「１７」多くなっている。図８に示すヒストグラムにおいて、区画番号１３，１４の実線で示すブロック数がオリジナルの度数分布であって、点線で示す度数分布は、上記のように倍率を掛けることによって仮想的に補正した、すなわち「白飛び指数」を「１７」だけ増やした度数分布である。
【００３１】
このように、重み付け係数が決定したら、次に白飛び指数だけを撮影画像から確認できるように、色々なシチュエーションでストロボ撮影を実施する。これにより、図１０に示されるヒストグラムの区画番号に対応した倍数とストロボ発光の補正量を決定した。つまり、実験により、本来補正したい量を図１０に示すグラフの縦軸にプロットした（図１０の「◆」の点を参照）。そのプロット結果より相関特性を割り出して、実際の減光補正量を求めた。
【００３２】
相関特性の導出方法としては、実験的に以下の式Ａで求めることができる。図１０には対数近似のグラフ結果も表記しているが、純粋に対数計算をソフトウェアで実施するのは、処理時間やＲＯＭ効率のことを考えるとあまり効果的ではないので、直線近似のグラフを用いて簡易的に実施している。このグラフは、輝度分布作成手段で作成された図８の上段に示すような輝度分布に、図８の中段に示すような重み付け表を適用して、本発光量の補正量を定める対応表ということができる。白飛び指数をｘとして図１０に示すグラフを数式化すると、補正量ｙは、
ｙ＝０．０２３ｘ−１．１      ・・・式Ａ
となる。ただし、補正量ｙの単位はマイナス補正したいΔＥｖとする。
式Ａにおける「０．０２３」および「１．１」という数値は、図１０における直線近似したグラフの傾きと切片である。浮動小数点をＣＰＵで扱わないように式Ａを改良するのもよい。
【００３３】
図８に示す例の場合、上記式Ａにプレ発光結果の白飛び指数「６５」を適用し、従来方式で求められる本発光時Ｇｎｏ光量値よりも、０．３９５（≒０．４）Ｅｖ程度マイナス補正をかけることで、主要被写体がいわゆる白飛びしない適正な発光量によって適正路光量の画像を撮影することができる。
【００３４】
通常、均一性のある被写体（例えば１８％グレーチャートのような標準反射板）などを撮影した場合のヒストグラムの総和は、ほとんどのブロックが平均Ｙ値と等価になるため、ヒストグラムとしては図９のような平均Ｙ値に集中するような度数分布になり、白飛び指数も４８のまま変わらない。よって本発光時のＧｎｏ光量も従来方式と変化はない。
しかし、撮像装置と被写体までの距離と比較して被写体と暗黒の背景までの距離の方が遥かに大きい場合などは、画面が均一平面ではないことから、白飛び指数値が高くなるので、式Ａから求められるＧｎｏ減光補正処理（図４のステップＳ２３）を、撮影者が意識することなく自動的に実施することになる。
【００３５】
以上のようなＧｎｏ減光補正処理を行なった後は、通常の撮影シーケンスにしたがって動作する。すなわち、モニタリングを停止して本発光処理（Ｓ２４）を行ない、これに同期して撮影し、静止画記録処理（Ｓ２５）を行ない、処理を終了させる。
【図面の簡単な説明】
【００３６】
【図１】本発明にかかる撮像装置のハードウェア構成例を示すブロック図である。
【図２】上記ハードウェアとともに実行される機能ブロック図である。
【図３】上記撮像装置の記録時のメイン処理の例を示すフローチャートである。
【図４】上記撮像装置のプレ発光から得られたＡＥ評価値をもとに本発光を行う場合の動作例を示すフローチャートである。
【図５】上記撮像装置の処理動作を示すタイミングチャートである。
【図６】本発明に適用可能な被写体像の位相差による三角測距の例を示すモデル図である。
【図７】本発明に適用可能な画面中央部分の測光エリアの例を示す正面図である。
【図８】本発明にかかる撮像装置および撮像方法に用いる「白飛び指数」の概念を説明するための図表であって、遠近が混在した不均一な平面をもつ被写体を撮影する場合の例を示す図表である。
【図９】本発明にかかる撮像装置および撮像方法に用いる「白飛び指数」の概念を説明するための図表であって、遠近が均一な平面をもつ被写体を撮影する場合の例を示す図表である。
【図１０】白飛び指数とその補正値との関係を示すグラフである。
【符号の説明】
【００３７】
１    撮影レンズ
２    メカニカルシャッタ
３    撮像素子としてのＣＣＤ
４    ＣＤＳ・Ａ／Ｄ部
５    ＤＳＰ
６    メカ駆動部
７    ＣＣＤ駆動回路部
８    信号処理部としてのＣＰＵ
９    メモリ
１２    表示部
１３    スイッチ部
１４    ＡＦ部
１５    ストロボ発光部
１６    メインコンデンサ
【図１】
2009053216.tif 000003
【図２】
2009053216.tif 000004
【図３】
2009053216.tif 000005
【図４】
2009053216.tif 000006
【図５】
2009053216.tif 000007
【図６】
2009053216.tif 000008
【図７】
2009053216.tif 000009
【図８】
2009053216.tif 000010
【図９】
2009053216.tif 000011
【図１０】
2009053216.tif 000012